(57)【要約】      （修正有）【課題】カバーの展開及び収納を容易かつ迅速に行い、収納時の体積を減らすとともに、車両固定用の調整バンドの信頼性、費用対効果を上昇せしめる車両用カバーを提供する。【解決手段】自動車等の車両を覆うカバー１と、カバー１の大部分を占めるようにカバー１に縫合された２つの撓み性金属リング２と、カバー１を車両に接続する複数の調整バンド３ａ，３ｂとを備える。調整バンド３ａ，３ｂは、伸縮性のある伸縮バンドと伸縮性のない非伸縮バンドとを、それぞれ一端を接続することによって構成し、伸縮バンドが接続されていない側の端に車両への固定のためのフックを備えるフック台座に接続することによって構成される。【選択図】図１
0003177790.tif 000002
【実用新案登録請求の範囲】
【請求項１】
車両を覆うカバーと、
上記カバーの大部分面積を占めるように該カバーに縫合された２つ以上の撓み性環状体と、
上記車両を覆う際に上記カバーを該車両に固定する複数のフックと、該複数のフックを該カバーにそれぞれ接続する複数の接続帯とを有する複数の接続具とを備え、
上記接続具の接続帯は、伸縮性部材からなる伸縮接続帯と該伸縮接続帯に接続された非伸縮性部材からなる非伸縮接続帯とを有することを特徴とする車両用カバー。
【請求項２】
上記接続具の接続帯は、上記伸縮接続帯の一方の端が上記カバーの縁部に接続され、該伸縮接続帯の他方の端が上記非伸縮接続帯の一方の端に接続され、該非伸縮接続帯の他方の端に上記フックが接続されていることを特徴とする請求項１記載の車両用カバー。
【請求項３】
上記接続具の接続帯は、上記伸縮接続帯に接続された他の非伸縮接続帯を更に有し、該他の非伸縮接続帯の一方の端が、上記カバーの縁部に接続され、該他の非伸縮接続帯の他方の端が、該伸縮接続帯の一方の端に接続され、該伸縮接続帯の他方の端が該非伸縮接続帯の一方の端に接続され、該非伸縮接続帯の他方の端に上記フックが接続されていることを特徴とする請求項１記載の車両用カバー。
【請求項４】
上記接続具の接続帯は、上記伸縮接続帯に接続された他の非伸縮接続帯を有し、該他の非伸縮接続帯の両方の端が、上記カバーの縁部に接続され、該伸縮接続帯の一方の端が、該他の非伸縮接続帯の一部の接続され、該伸縮接続帯の他方の端が該非伸縮接続帯の一方の端に接続され、該非伸縮接続帯の他方の端に上記フックが接続されていることを特徴とする請求項１記載の車両用カバー。
【請求項５】
上記接続具の接続帯は、上記非伸縮接続帯の一方の端が上記カバーの縁部に接続され、該非伸縮接続帯の他方の端が上記伸縮接続帯の一方の端に接続され、該伸縮接続帯の他方の端に上記フックが接続されていることを特徴とする請求項１記載の車両用カバー。
【請求項６】
上記非伸縮接続帯は、該非伸縮接続帯の長さを調整する長さ調整部材を有することを特徴とする請求項１〜５いずれか１項記載の車両用カバー。
【請求項７】
上記撓み性環状体は、形状記憶合金からなることを特徴とする請求項１〜６いずれか１項記載の車両用カバー。
【考案の詳細な説明】
【技術分野】
【０００１】
本考案は、自動車等の車両用カバーに関し、特に、展開及び収納を容易かつ迅速に行うとともに、収納時の体積を減らすことを可能にする車両用カバーに関する。
【背景技術】
【０００２】
一般に屋外に停車した自動車等の車両では、雨水等による塵埃の付着と日射しによる塗装の劣化や車両内部温度の上昇を防止するために、車両の外部をカバーで覆う。
【０００３】
しかしながら、従来知られている車両用カバーは、車両の形状に合わせて縫合又は成形された軟質の防水布によって形成されており、使用に際してその展開及び収納が不便である。すなわち、車両用カバーの展開時には、車両用カバーの各部分を車両の各部に合わせてひろげるようにして装着する必要があり、収納時には、車両用カバーを車両から取り外し、ひろがった状態の車両用カバーを折りたたんで収納をする必要がある。これらの作業をすべて手作業で行うため、非常に手間がかかり、収納時の折りたたみのしかたが一定せず、折りたたみのために位置合わせをする補助部材に相当するものがないためその形状を一定形状とすることができず、収納時の形状及び体積にばらつきを生じる。
【０００４】
このように、従来の車両用カバーは、その展開及び収納が非常に面倒で不便であり、かつ折りたたみによって、収納時の形態を一定の少ない体積で形成することが困難である。
【先行技術文献】
【特許文献】
【０００５】
【特許文献１】実開昭６３−１１８１５２９号公報
【特許文献２】特開２００５−０５９７６２号公報
【考案の概要】
【考案が解決しようとする課題】
【０００６】
車両用カバーの展開及び収納を容易かつ迅速に行うことを目的とする車両用カバーが種々考案されている。
【０００７】
たとえば、特許文献１には、車両用カバーの一端をリールに巻き取るように接続し、展開時には、車両用カバーをリールから引き出し、収納時にはリールに巻き取るような車両カバーが記載されている。しかしながら、この特許文献１に記載された車両用カバーの場合には、複雑な機構のリール装置が必要となり、またリール装置を車体へ取付けなければならない。したがって、リール装置のためのコストが上昇し、車両の改造が必要になるという問題がある。
【０００８】
そこで、特許文献２に示す車両用カバーが考案されている。特許文献２に記載された車両用カバーは、その面積が車両の上部及びその四方の車窓、ボンネット、トランク蓋等被覆したい部分を覆い、この車両用カバーの内面に、車両長さ方向に順に間隔をおいて配列され、かつ形状及び内径の面積がほぼ同じ撓み性金属リングが２つ以上設けられている。これら撓み性金属リングが車両用カバーの大部分の面積を占め、かつ車両用カバーの縁部に複数の調整バンドが設けられ、これら調整バンドの端部にそれぞれフックが設けられている。車両用カバーを展開使用する場合には、これら撓み性金属リングがその金属の弾性により全体のカバーを自然に外向きに展開させ、車両上部及び四方の車窓部分を覆い、そしてフックによって車体底部下縁部分、たとえばフェンダに係止される。本考案の車両用カバーを折りたたんで収納する場合には、カバーの全体が、これら撓み性金属リングを主体として重ね合わされて、そしてその撓み性によってこれらリングが３層の小さいリング状に折りたたまれる。全体のカバーは、これに連帯して扁平な比較的小さいリング状形態とされるために、大幅にその面積及び体積が縮小される。小さく折りたたまれた本考案の車両用カバーは、小型の収納用の袋体等に収容することによって、携帯し、あるいは車両の後部トランクに収納することができる。
【０００９】
ここで、特許文献２に記載された車両用カバーでは、車両用カバーを車両に固定するための調整バンドがすべて伸縮性の素材で構成されるか、あるいはすべて非伸縮性の素材で構成されている。車両用カバーを車両に固定するための調整バンドがすべて伸縮性の素材で形成されている場合には、調整バンドのコストが上昇し、伸縮素材の伸び切りによる強度の劣化を生じやすく、また調整バンドの長さ調整を行いにくいという問題がある。また、調整バンドがすべて非伸縮性の素材で形成されている場合には、調節リングによりその長さを調整することができるものの、車両の種類によって、あるいは同一の車両であってもフックを係止する位置によって、調整バンドの長さを調整せねばならず、取り付けに不便である。
【００１０】
そこで、本考案は、展開及び収納を容易かつ迅速に行い、収納時の体積を減らすとともに、車両固定用の調整バンドの信頼性、費用対効果を上昇せしめることを目的とする。
【課題を解決するための手段】
【００１１】
上述した課題を解決するために本考案は、車両を覆うカバーと、カバーの大部分面積を占めるようにカバーに縫合された２つ以上の撓み性環状体と、車両を覆う際にカバーを車両に固定する複数のフックと、複数のフックをカバーにそれぞれ接続する複数の接続帯とを有する複数の接続具とを備える。そして、接続具の接続帯は、伸縮性部材からなる伸縮接続帯と伸縮接続帯に接続された非伸縮性部材からなる非伸縮接続帯とを有する。
【考案の効果】
【００１２】
本考案は、カバーの大部分面積を占めるように縫合された少なくとも２つの撓み性環状体と、車両を覆う際にカバーを車両に固定する複数のフック及び複数のフックをカバーにそれぞれ接続する複数の接続帯とを有する複数の接続具とを備えているので、カバーの展開及び収納を容易に行い、収納時の体積を減らすことができる。そして、接続具の接続帯が、伸縮性部材からなる伸縮接続帯と、伸縮接続帯に接続された非伸縮性部材からなる非伸縮接続帯とを有しているので、接続具（調整バンド）の信頼性が向上し、コスト低減を可能にする。
【図面の簡単な説明】
【００１３】
【図１】本考案の車両用カバーを展開した状態の平面図である。
【図２】本考案の車両用カバーの調整バンド及びフックの形状を示す斜視図である。
【図３】本考案の車両用カバーの調整バンドの構成の変形例を示す斜視図である。
【図４】本考案の車両用カバーの撓み性リングの収容部分を示す部分平面図である。
【図５】本考案の車両用カバーを自動車に取り付けた状態の（Ａ）平面図及び（Ｂ）斜視図である。
【図６】本考案の車両用カバーを展開して、自動車に取り付ける場合の手順を説明するための概念図である。（Ａ）自動車のトランクから取出し、（Ｂ）自動車の後方から前方に向かってカバーをひろげ、（Ｃ）４か所の調整バンドを引き出し、（Ｄ）調整バンド先端のフックを自動車の前輪、後輪のフェンダやホイールに引っかけてカバーを固定する状態をそれぞれ示す図である。
【図７】本考案の車両用カバーを折りたたんで収納する場合の手順を説明するための概念図である。（Ａ）前方に配された撓み性金属リングを後方に配された撓み性金属リングに重ねるようにして、（Ｂ）車両用カバーを折りたたみ、（Ｃ）重ねた撓み性金属リングの一方を他方にさらに重ねるようにし、（Ｄ）重ねた部分を保持しながら、（Ｅ）折り曲げているリングの部分を手前に引きいれながら、（Ｆ）撓み性金属リングが三重の輪になるようにして収納する。
【図８】本考案の車両用カバーの折りたたみ時の撓み性金属リングの折りたたみ過程の一実施の形態を（Ａ）〜（Ｅ）の順を追って示す概念図である。
【図９】本考案の車両用カバーの折りたたみ時の撓み性金属リングの折りたたみ過程の他の実施の形態を（Ａ）〜（Ｅ）の順を追って示す概念図である。
【図１０】本考案の車両用カバーを折りたたみ後に収納する袋体の斜視図である。
【考案を実施するための形態】
【００１４】
以下、本考案の実施の形態について、図面を参照しながら詳細に説明する。なお、本考案は、以下の実施の形態のみに限定されるものではなく、本考案の要旨を逸脱しない範囲内において種々の変更が可能であることは言うまでもない。
【００１５】
図１に示すように、本考案の車両用カバー１０は、自動車等の車両を覆うカバー１と、カバー１の大部分を占めるようにカバー１に縫合された２つの撓み性金属リング２と、カバー１を車両に接続する複数の調整バンド３ａ，３ｂを備える。カバー１は、防水性を具えた布材を車両上部の表面形状に合わせて裁断縫製することによって形成される。カバー１の面積は、車両上部の覆う、たとえば車両の前面ガラス、ルーフトップ、後面ガラス、及び両側のガラス等の部分を覆うように定められる。たとえば、セダンタイプの小型車や普通車サイズの車種に用いる場合には、カバー１のサイズは、車幅方向の長さが２４００ｍｍ程度とし、車両の全長方向の長さが３５００ｍｍ程度とするのが好ましい。さらに車両のボンネット及びトランク蓋を被覆するものとすれば、車両の全長方向に大寸化することにより対応が可能である。また、ワンボックスタイプやＳＵＶ（Sport Utility Vehicle、スポーツ・ユーティリティ・ビークル）等の高車高の車両向けには車幅方向の長さを増大させることによって対応が可能になる。カバー１には車両の全長方向に、面積と形状が同じかほぼ同じ少なくとも２つの撓み性金属リング２が所定の間隔をあけて順に配列され、これら撓み性金属リング２がカバー１の大部分の面積を占めるようにする。たとえば車両前方側の撓み性金属リング２が前面ガラスとルーフトップ上半部に位置し、車両後方側の撓み性金属リングが後面ガラス及びルーフトップの後方半分の位置を覆うように配置する。撓み性金属リング２は、剛性及び強度の面から形状記憶合金、たとえば鉄系形状記憶合金等を用いるのが好ましいがステンレス等汎用の金属材料を用いてもよい。後述するように、円形又は楕円形に形状記憶した線条をカバー１表面に縫合されて形成された環状収容部に挿入し、線条の両端を管状継手で接続することによって、撓み性金属リング２をカバー１に固定することができる。
【００１６】
カバー１の縁部の各角部には締めつけ用バンドを設けて、カバー１により車両上部を結束、被覆するようにしてもよい。また、本考案の車両用カバー１０を、車両上に展開し、取り付ける際に車両に固定するために、カバー１の後縁部に展開時固定用バンド４を備えるようにしてもよい。
【００１７】
本考案の車両用カバー１０を車両に固定するために、調整バンド３ａ，３ｂがカバー１の各角部近傍に配置されるのが好ましい。車両の前方寄りの調整バンド３ａは、ループ状の補助バンド１８を介してカバー１に接続されるのが好ましい。カバー１に覆われる車両のサイドミラーを補助バンド１８によって形成されたループ内に挿入するようにして調整バンド３ａを用いると、車両用カバー１０を車両に安定して固定することができる。車両の後方寄りの調整バンド３ｂは、一端が直接カバーの縁部に接続される。なお、車両の前方寄りの調整バンド３ａの一端を補助バンド１８を介さずに直接カバー１の縁部に接続してももちろんよい。調整バンド３ａ，３ｂ及び補助バンド１８をカバー１の縁部に接続するには、それぞれを重ねて縫合することによって接続してもよく、リベットのような接続具を用いて接続したり、接着剤によって接続する等、周知の方法を用いて接続する。
【００１８】
図２に示すように、調整バンド３ａ，３ｂは、たとえばゴム素材のような伸縮性のある素材からなる伸縮バンド１７と伸縮性のない素材からなる非伸縮バンド１６とを、それぞれの一端同士が接続される。伸縮バンド１７が接続されていない側の端は、車両への固定のためのフック１１を備えるフック台座１２に接続される。非伸縮バンド１６とフック台座１２とを接続するのに、非伸縮バンド１６の他方の端部１４をフック台座に開口した取付孔１３を通して、さらに長さ調節リング１５を介して接続するのが好ましい。端部１４の位置を長さ調節リング１５によって変えることによって、非伸縮バンド１６の長さを変えることができ、ひいては調整バンド３ａ，３ｂ全体の長さを調整することができる。
【００１９】
上述では、カバー１の縁部に接続する側を伸縮バンド１７とし、フック１１に接続する側を非伸縮バンド１６としたが、逆の配置としてもよい。すなわち、非伸縮バンド１６の一方の端をカバー１の縁部に接続し、非伸縮バンド１６の他方の端に伸縮バンド１７を接続して、伸縮バンド１７の他方の端にフック台座１２を介してフック１１を接続するようにしてもよい。また、上述の構成の変形例として、図３に示すように、非伸縮バンド１６ａと伸縮バンド１７と非伸縮バンド１６とが直列に接続される構成とすることができる。すなわち、カバー１の縁部に一方の端が接続された非伸縮バンド１６ａと、この非伸縮バンド１６ａの他方の端に一方の端が接続される伸縮バンド１７と、この伸縮バンド１７の他方の端がもう１つの非伸縮バンド１６の一方の端に接続され、この非伸縮バンド１６の他方の端がフック台座１２を介してフック１１に接続される構成としてもよい。
【００２０】
このように、伸縮バンドを一部に含む調整バンド３ａ，３ｂとすることによって、より少ない伸縮バンド１７によって、車両取付時のカバーの「ハリ」を維持するという調整バンド３ａ，３ｂの機能を果たすことができる。そして、低コスト化に寄与するとともに、伸縮バンド１７の伸び切り防止にも貢献することができる。また、非伸縮バンド１６，１６ａに長さ調節リング１５を用いることによって、車両変更時等に際して、調整バンド３ａ，３ｂの長さをより正確にかつ迅速に調整することが可能となる。
【００２１】
図２に示すように、上向きに湾曲するよう延伸された係止形状を有するフック１１は、フック台座１２の一面に固定される。フック１１及びフック台座１２は、ＡＢＳ等の合成樹脂を一体成型することによって形成してもよく、日射による紫外線に対する強度を確保するために金属製で打ち抜き等の加工により形成してもよい。
【００２２】
図４に示すように、たとえばカバー１の一方の面に２つの環状に形成された布の通し管２１が縫い付けられ（図４では、２つの通し管２１は同等なので、１つの通し管２１のみ示す。）、この通し管２１の一部に撓み性金属リング２を挿入するための開口２２が形成される。上述の撓み性金属リング２は、線条の一端を開口２２から挿入して、その一端と他端とを管状継手２３によって接続することにより構成される。撓み性金属リング２を形成する線条の一端と他端とを接続するには、溶接、接着等他の周知の方法を用いることができる。
【００２３】
図５に示すように、本考案の車両用カバー１０は、セダンタイプの自動車の上面を覆うようにして用いられる。図５（Ａ）に示すように、車両２０の前方寄りに配置された撓み性金属リング２の部分は、フロントガラスのほぼ全面とルーフトップの前方寄りを覆い、車両２０の後方寄りに配置された撓み性金属リング２の部分は、リアガラスのほぼ全面とルーフトップの後方寄りを覆うのが好ましい。図５（Ｂ）に示すように、前方寄りの調整バンド３ａは、補助バンドのループ内にサイドミラーを挿入し、フック１１によって車両２０の前輪のフェンダに係止される。後方寄りの調整バンド３ｂも、車両２０の後輪のフェンダに係止される。伸縮バンド１７の弾性力によってカバー１の適切な「ハリ」となるように非伸縮バンド１６の長さ調節リング１５によって調整バンド３ａ，３ｂの長さを調整する。図５の実施の形態においては、前輪、後輪のフェンダにフックを係止したが、調整バンド３ａ，３ｂの長さを適切に調整して、前輪、後輪のホイールに係止することも可能である。
【００２４】
図６（Ａ）〜（Ｄ）に示すように、本考案の車両用カバーは、容易に展開して車両２０を覆うことができる。
【００２５】
図６（Ａ）において、本考案の車両用カバーは、カバー１の車両２０の後縁部に該当する位置に、展開時固定用バンド４を有する。展開時固定用バンド４は、両端がカバー１の縁部に縫合等周知の方法によってループ状をなすように接続される。ループ状の展開時固定用バンド４は、伸縮性素材であってもよいが、位置固定と伸び切り防止のために非伸縮性の素材であることが好ましい。展開時固定用バンド４を車両２０のトランク内の荷物固定用フック等に係止してカバー１の一端を固定する。図６（Ｂ）において、カバー１を車両２０上に展開する。図６（Ｃ）において、前方寄りの撓み性金属リング２が車両２０のフロントガラス付近を覆い、後方寄りの撓み性金属リング２がリアガラスを覆うようにカバー１を引き延ばす。図６（Ｄ）において、前方寄りの調整バンド３ａを補助バンドのループ内にサイドミラーが挿入され、フック１１を前輪のフェンダに係止し、後方寄りの調整バンド３ｂのフック１１を後輪のフェンダに係止する。以上で、本考案の車両用カバーの展開及び装着が完了する。
【００２６】
次に、図７（Ａ）〜（Ｆ）に示すように、本考案の車両用カバーは、容易に折りたたんで小さな体積にして収納することができる。
【００２７】
図７（Ａ）において、前方寄りの撓み性金属リング２を、後方寄りの撓み性金属リング２に重ねるようにして、カバー１を折りたたむ。図７（Ｂ）において、２つの撓み性金属リング２を重ねてカバー１を折りたたむ。図７（Ｃ）において、重ねた撓み性金属リング２の一方を撓み性金属リング２の径方向に対向する他方にさらに重ねる。図７（Ｄ）において、重ねた部分を保持する。図７（Ｅ）において、折り曲げているリングの部分を手前に引き入れる。図７（Ｆ）において、撓み性金属リング２が３層の輪になるようにして重ねる。
【００２８】
より明りょうに本考案の車両用カバーの収納過程を説明するために、実際には２つのリングを重ねて収納するところ、図８及び図９に示すように、カバー１を除去した状態の１つのリングの場合について示すことにする。撓み性金属リング２の折りたたみ過程中の撓み性金属リング２の各部分の変動と位置を示すため、撓み性金属リング２にＡ、Ｂ、Ｃ等の記号を記している。
【００２９】
図８（Ａ）及び図８（Ｂ）に示すように、撓み性金属リング２の一部分であるＣ部をＡ−Ｂ側に矢印方向に折り曲げてふたつ折りにし、第１の小リング２ａと第２の小リング２ｂを構成する。図８（Ｃ）に示すように、第１の小リング２ａと第２の小リング２ｂの間に、図示する矢印の方向にＣ部を引っぱり、徐々に第３の小リング２ｃを引き出す。図８（Ｄ）に示すように、第３の小リング２ｃを第２の小リング２ｂの後ろに置く。図８（Ｅ）に示すように、相互に連結された３つの小リングを重ね合わせて２ａ−２ｂ−２ｃの順序として、Ａ部、Ｂ部及びＣ部が重なるようにして扁平リング状形態となるようにする。
【００３０】
図９（Ａ）〜（Ｅ）は、上述の撓み性金属リング２の折りたたむ場合の他の実施の形態を示す。図８の場合と同様の折りたたみ過程を有するが、図９（Ｃ）に示すように、折りたたみ時に、第３の小リング２ｃを第１の小リング２ａと第２の小リング２ｂの間に置き、図９（Ｄ）及び図９（Ｅ）に示すように、小リングを重ね合わせて２ａ−２ｃ−２ｂの順序となし、扁平リング状形態となるようにする。
【００３１】
上述のいずれの場合においても、１つのリングを３つの扁平リング状形態とすることができ、リングの面積を小さくすることができ、これを車両用カバーに適用することによって、車両用カバーの収納時の体積を小さくすることができる。
【００３２】
上述した本考案の車両用カバーの収納過程は、分解動作でこれを説明してはいるが、その折りたたみ動作は連続した動作であり、その収納は、非常に簡便かつ迅速である。特に、本考案の車両用カバーは撓み性金属リング２を設置することによって、カバー１を折りたたんで扁平形態となす際の案内作用を有するので収納操作が迅速である。また、収納時の体積を一定にすることができ、収納と携帯に便利である。
【００３３】
上述のようにして３つの小リングを重ねるようにして折りたたんだ車両用カバーは、図１０に示すように、小リングの形状に対応する扁平な袋体３０の内部に収容してもよい。袋体５の開口部には、スライド式ファスナー３１が設けられており、スライド式ファスナー３１を閉じることによって、収納された扁平形態となす。この袋体３１には、図示しないが、ショルダーバンドあるいは手提げ用バンドを設けてもよい。
【００３４】
なお、本考案でいう車両２０は、上述したセダンタイプ、ＳＵＶタイプ等の自動車に限らず広義の動力車両、たとえば、ボート、オートバイ等を含む。ボートや大型のＳＵＶ等では車体長さが比較的長いため、本考案の車両用カバーは撓み性金属リング２を３つ用いることによって、そのカバー１の展開後の長さを増加させることができる。
【００３５】
一方、本考案においては、撓み性金属リング２を１つのみ用いる場合を排除している。１つの撓み性金属リングで車両前部の上面及び四方のガラスを被覆すると、撓み性金属リングの外径が過大となり、その面積及び体積が過大となるため、一人で折りたたみ操作を行なうことが困難となり、かつ撓み性金属リングの側辺が車両の側辺に対して突出し過ぎ、車両上部と四方のガラスを緊密に覆うことができなくなり、本考案の適用ができなくなるためである。２つ以上の撓み性金属リングを用いると、その撓み性金属リングの直径は、一人が両手を外向きに伸ばした長さと身体部分の総合の幅以内となり、作業者が一人で展開と折りたたみの操作を容易に行えるようになる。
【符号の説明】
【００３６】
１  カバー、２  撓み性金属リング、３ａ，３ｂ  調整バンド、４  展開時固定用バンド、１１  フック、１２  フック台座、１３  取付孔、１４  端部、１５  調節リング、１６，１６ａ  非伸縮バンド、１７  伸縮バンド、１８  補助バンド、２０  車両、  ２１  通し管、２２  開口、２３  管状継手、３０  袋体、３１  スライド式ファスナー
【図１】
0003177790.tif 000003
【図２】
0003177790.tif 000004
【図３】
0003177790.tif 000005
【図４】
0003177790.tif 000006
【図５】
0003177790.tif 000007
【図６】
0003177790.tif 000008
【図７】
0003177790.tif 000009
【図８】
0003177790.tif 000010
【図９】
0003177790.tif 000011
【図１０】
0003177790.tif 000012